【事件の表示】
　平成１０年特許願第２３７１６８号「電子発生装置の駆動方法」拒絶査定不服審判事件〔平成１２年３月３日出願公開、特開２０００−６６６３３号〕について、次のとおり審決する。
【結　論】
　本件審判の請求は、成り立たない。
【理　由】
第１　手続の経緯
　本件は、平成１０年８月２４日にされた特許出願（平成１０年特許願第２３７１６８号）につき、拒絶査定が平成１５年２月２６日付けでされたところ、この拒絶査定に対する審判が同年４月２日に請求され、明細書を補正対象とする手続補正書（以下、この手続補正書による手続補正を「平成１５年５月２日付け補正」という。）が同年５月２日に提出されたものである。
　
第２　平成１５年５月２日付け補正についての補正却下の決定
　１　補正却下の決定の結論
　平成１５年５月２日付け補正を却下する。
　２　補正却下の決定の理由
　（１）平成１５年５月２日付け補正の内容
　上記補正は、本件出願の明細書の特許請求の範囲を次のとおり補正し、これに対応して発明の詳細な説明を補正するものである。
　　　ア　上記補正前の特許請求の範囲
　「【請求項１】
　複数の電子放出素子がマトリクス状に配置され、同じ行に配置された電子放出素子の一方の端子が行方向配線に接続され、且つ同じ列に配置された電子放出素子の他方の端子が列方向配線に接続されており、それら複数の電子放出素子のうち、選択した電子放出素子を駆動するための、選択すべき電子放出素子を含む行方向配線を選択する走査回路と、駆動信号に基づいて列方向配線を駆動する駆動回路とを備えた電子発生装置の駆動方法であって、
　前記駆動回路の、前記列方向配線に対応した各チャンネルから出力される電流を検出することによって、該駆動回路から前記列方向配線に出力される電流を所定の設定電流値に補正するための前記駆動回路のチャンネル毎のばらつきに関する第１の補正情報を取得する取得工程と、
　前記駆動回路のチャンネル毎のばらつきに関する第１の補正情報を、少なくとも１つの不揮発性メモリに予め格納する格納工程と、
　前記電子発生装置の駆動に際して、前記不揮発性メモリに格納された前記駆動回路のチャンネル毎のばらつきに関する第１の補正情報を、格納情報の読み出し速度が比較的速い揮発性メモリに第２の補正情報として展開する展開工程と、
　前記揮発性メモリに格納された第２の補正情報に基づいて、前記選択した電子放出素子を駆動する駆動工程とを有する
ことを特徴とする電子発生装置の駆動方法。
　【請求項２】
　複数の電子放出素子がマトリクス状に配置され、同じ行に配置された電子放出素子の一方の端子が行方向配線に接続され、且つ同じ列に配置された電子放出素子の他方の端子が列方向配線に接続されており、それら複数の電子放出素子のうち、選択した電子放出素子を駆動するための、選択すべき電子放出素子を含む行方向配線を選択する走査回路と、駆動信号に基づいて列方向配線を駆動する駆動回路とを備えた電子発生装置の駆動方法であって、
　前記駆動回路から前記列方向配線への出力を所定の設定値に補正するための、前記複数の電子放出素子の特性ばらつきに関する第１の補正情報を取得する取得工程と、
　前記複数の電子放出素子の特性ばらつきに関する第１の補正情報を、不揮発性メモリに予め格納する格納工程と、
　前記電子発生装置の駆動に際して、前記不揮発性メモリに格納された前記複数の電子放出素子の特性ばらつきに関する第１の補正情報を、格納情報の読み出し速度が比較的速い揮発性メモリに第２の補正情報として展開する展開工程と、
　前記揮発性メモリに格納された第２の補正情報に基づいて、前記選択した電子放出素子を駆動する駆動工程とを有する
ことを特徴とする電子発生装置の駆動方法。
　【請求項３】
　前記格納工程では、
前記複数の電子放出素子を含む画像表示パネルの全面を均一に発光させるために用いられる補正情報と、該画像表示パネルの中心部を明るく発光させるために用いられる補正情報とを含む複数種の補正情報を、前記第１の補正情報として前記不揮発メモリに予め格納しておき、
　前記展開工程では、
前記不揮発メモリに格納された複数種の補正情報の中から選択された何れか一種の補正情報を、第２の補正情報として前記揮発性メモリに展開する
ことを特徴とする請求項１または請求項２記載の電子発生装置の駆動方法。」
　　　イ　上記補正後の特許請求の範囲
　「【請求項１】　複数の電子放出素子がマトリクス状に配置され、同じ行に配置された電子放出素子の一方の端子が行方向配線に接続され、且つ同じ列に配置された電子放出素子の他方の端子が列方向配線に接続されており、それら複数の電子放出素子のうち、選択した電子放出素子を駆動するための、選択すべき電子放出素子を含む行方向配線を選択する走査回路と、駆動信号に基づいて列方向配線を駆動する駆動回路とを備えた電子発生装置の駆動方法であって、
　前記駆動回路から前記列方向配線への出力を所定の設定値に補正するための、前記複数の電子放出素子の特性ばらつきに関する第１の補正情報を取得する取得工程と、
　前記複数の電子放出素子の特性ばらつきに関する第１の補正情報を不揮発性メモリに予め格納する格納工程と、
　前記電子発生装置の駆動に際して、前記不揮発性メモリに格納された前記複数の電子放出素子の特性ばらつきに関する第１の補正情報を、格納情報の読み出し速度が前記不揮発性メモリよりも速い揮発性メモリに第２の補正情報として展開する展開工程と、
　前記揮発性メモリに格納された第２の補正情報に基づいて、前記駆動回路から前記列方向配線への出力を所定の設定値に補正して、前記選択した電子放出素子を駆動する駆動工程とを有することを特徴とする電子発生装置の駆動方法。
　【請求項２】　前記格納工程では、
　前記複数の電子放出素子を含む画像表示パネルの全面を均一に発光させるために用いられる補正情報と、該画像表示パネルの中心部を明るく発光させるために用いられる補正情報とを含む複数種の補正情報を、前記第１の補正情報として前記不揮発メモリに予め格納しておき、
　前記展開工程では、
　前記不揮発メモリに格納された複数種の補正情報の中から選択された何れか一種の補正情報を、第２の補正情報として前記揮発性メモリに展開することを特徴とする請求項１に記載の電子発生装置の駆動方法。」
　（２）上記補正の適否について
　上記補正は、請求項１を削除し、請求項２に係る発明を特定するために必要な事項である「比較的」を「前記不揮発性メモリよりも」とし、駆動工程について「前記駆動回路から前記列方向配線への出力を所定の設定値に補正して」との限定を付加し、これに対応して発明の詳細な説明を補正するものであって、特許法１７条の２第４項１号の請求項の削除、同項２号の特許請求の範囲の限定的減縮及び同項４号の明りょうでない記載の釈明を目的とするものである。
　そこで、上記補正後の請求項１に係る発明（以下「本願補正発明」という。）が特許出願の際独立して特許を受けることができるものであるか、検討する。
　　　ア　刊行物に記載された発明
　原査定の拒絶の理由に引用された刊行物の一部及びその記載事項は以下のとおりである。
　　　（ア）特開平９−２５１２７６号公報（以下「刊行物１」という。）
　刊行物１には、図面とともに、「【０００１】【発明の属する技術分野】本発明は、電子ビーム源として冷陰極、詳しくは表面伝導型放出素子を用い、これらを２次元平面上に複数配列した画像形成装置及びその電子放出特性の補正方法に関する。」、「【００１９】しかしながら、表面伝導型放出素子を単純マトリクス配線したマルチ電子ビーム源には、実際には以下に述べる問題が発生していた。【００２０】例えば、テレビジョンやコンピュータ端末に応用する場合をはじめとして、画像形成装置には、高精細、大画面、大画素数、長寿命等の特性が望まれる。これを実現するため、マルチ電子ビーム源には、行、列の数が各々数百〜数千にも及ぶ非常に大規模な単純マトリックスを構成する必要がある。そして、各表面伝導型放出素子の電子放出特性が均一であり、しかもその電子放出特性が長期間均一に維持されることが望まれる。【００２１】しかしながら、上述のような大規模なマルチ電子ビーム源においては、各表面伝導型放出素子の特性に製造上のばらつきが発生する問題があった。製造上のばらつきは、例えば、各表面伝導型放出素子の電極や導電膜を形成するための成膜工程やパターニング工程において、寸法、形状、材料組成等に関して何等かの原因で誤差が生じた場合に発生していた。【００２２】また、単純マトリックス配線したマルチ電子ビーム源を長期間に渡り使用した場合、表面伝導型放出素子の電子放出特性に変化が生じるが、変化の度合が各表面伝導型放出素子毎に異なるという問題も生じた。即ち、表面伝導型放出素子を画像形成装置に応用した場合、表示する画像に応じて複数の各表面伝導型放出素子を駆動するため、画素毎に総駆動時間が異なることになり、表面伝導型放出素子の電子放出特性の変化の度合にばらつきが生じるためであると考えられる。【００２３】このように、製造上の理由による表面伝導型放出素子特性のばらつきや、画素毎に異なる駆動時間により、マルチ電子ビーム源から放出される電子ビーム強度にばらつきが生じ、結果として表示画像に輝度ムラや色バランスの乱れが発生し、表示画像の品位が低下することになる。このため、マルチ電子ビーム源の出力のばらつきを補正し、表示画像の品位の低下を防止することが望まれた。具体的には、所定の電圧を印加、または所定の電流を流した場合に、表面伝導型放出素子が行う電子放出による放出電流を測定する。そして、その放出電流の測定量に応じて求められる補正値を、素子駆動回路に設けられた補正テーブル（ＬｏｏｋＵｐ Ｔａｂｌｅ；以下ＬＵＴと略す）に予め記憶させておき、素子駆動時にその補正値に基づいて駆動条件（電圧振幅、電流振幅、或るいは電圧ないし電流パルス幅のいずれか）を変化させる電気的手段を設け、素子特性のばらつきを補正して画像表示をすればよい。但しこの場合、画像形成装置における放出電流は、マルチ電子ビーム源と蛍光面の間に高電圧（例えば５ｋＶから３０ｋＶ程度）を印加した状態で計測される。高電圧が印加された回路に流れる電流を、高精度に測定するは容易ではない。また、前記の放出電流を測定する場合にも放出電子は蛍光体に照射されるため、蛍光面には発光が生じる。このような通常の画像信号の表示動作とは異なる発光が、製品と��て市場に出荷された後で行われる構造は好ましくない。【００２４】そこで本発明は、複数の表面伝導型放出素子から放出した電子を蛍光体に照射して画像を形成する画像形成装置において、個々の放出素子が有する電子放出特性のばらつきを補正する画像形成装置及びその電子放出特性の補正方法の提供を目的とする。」、「【００３９】図１は、本発明の一実施形態としての画像形成装置のブロック構成図である。【００４０】図中、１０１は画像表示パネルであり、端子Ｄｘ１からＤｘｍ及びＤｙ１からＤｙｎを介して外部の電気回路と接続されている。このうち端子Ｄｘ１からＤｘｍには、画像表示パネル１０１内に設けられているＭ行Ｎ列の行列状にマトリックス配線された表面伝導型放出素子群（以下、マルチ電子ビーム源）を１行ずつ順次駆動してゆくための走査信号が印加される。一方、端子Ｄｙ１からＤｙｎには、前記走査信号により選択された一行の表面伝導型放出素子の各素子の出力電子ビームを制御するための変調信号が印加される。また、画像表示パネル１０１上の高電圧端子は、切り替え器１２０を介して外部の画像表示用アノード電源１２１、若しくはＩｅ検出用アノード電源１２２に接続され、マルチ電子ビーム源から放出された電子を加速するようになっている。画像表示を行なう期間においては、画像表示用アノード電源１２１が選択される。一方、Ｉｅ検出用アノード電源１２２は、補正データ作成期間に有効になる。画像表示用アノード電源１２１の電圧は、加速された電子によって蛍光体面で充分な輝度（明るさ）が得られるように、Ｉｅ検出用アノード電源１２２に較べ高い電圧値が選ばれている。【００４１】次に、走査回路１０２について説明する。同回路は、内部にｍ個のスイッチング素子を備えるもので、各スイッチング素子は、不図示の直流電圧源Ｖｘの出力電圧もしくは０［Ｖ］（グランドレベル）のいずれか一方を選択し、表示パネル１０１の端子Ｄｘ１〜Ｄｘｍを電気的に接続するものである。各スイッチング素子は、タイミング信号発生回路（後述）が出力する制御信号Ｔｓｃａｎに基づいて動作するものだが、実際には、例えばＦＥＴのようなスイッチング素子を組み合わせる事により容易に構成することが可能である。【００４２】尚、本実施形態において前記の直流電圧源Ｖｘは、後述の図１３で例示する表面伝導型放出素子の特性における電子放出しきい値電圧Ｖｔｈ（本実施形態では８［Ｖ］）を基準とし、走査されていない素子に印加される駆動電圧が電子放出しきい値電圧以下となるよう、７［Ｖ］の一定電圧を出力するよう設定されている。【００４３】引き続き入力された画像信号の流れについて説明する。入力されたコンポジット画像信号をデコーダ１０３で３原色の輝度信号及び水平、垂直同期信号（ＨＳＹＮＣ，ＶＳＹＮＣ）に分離する。タイミング信号発生回路１０４では、ＨＳＹＮＣ,ＶＳＹＮＣ信号に同期した各種タイミング信号を発生させる。ＲＧＢ輝度信号は、サンブルホールド（Ｓ／Ｈ）回路１０５において所定のタイミングでサンプリングされ保持される。保持された信号は、シリアルパラレル（Ｓ／Ｐ）変換回路１０６においてシリアル信号に変換される。このシリアル信号は、画像形成パネル１０１が有する複数の蛍光���の配列に応じて順番に並べられている。【００４４】更に、パルス幅変調回路１０７では、画像信号の大きさに応じたパルス幅を持つパルスが生成される。そしてそのパルス電圧は、電圧ドライバ１０８により増幅されて表示パネル１０１の端子Ｄｙ１ないしＤｙｎを介して表示パネル１０１内の表面伝導型放出素子に印加される。この時、ＬＵＴ１０９には、各素子毎にばらつきを補正する駆動電圧値がストアされる。これにより全ての放出素子が一定の電子放出電流を出力する。ＬＵＴ１０９は、タイミング発生回路１０４のアクセス信号によりアクセスされ、駆動を行う素子の番号に対応する補正電圧パルスを発生する。そして画像表示パネル１０１では、走査回路１０２により選択された行に接続されている表面伝導型放出素子だけが、電圧ドライバ１０８より供給された電圧パルスの幅に応じた期間だけ電子を放出し、蛍光体が発光する。即ち、１水平走査期間中、選択された行に接続されている全ての放出素子が画像輝度信号に合わせて発光する。走査回路１０２が選択する行を順次操作することにより、２次元画像が形成される。」、「【００４５】次に、補正データ作成時の動作について簡単に説明する。このとき、即ち補正データ作成時、詳しくは電子放出電流値Ｉｅを検出する期間、タイミング発生回路１０４からの制御信号によって、画像表示用アノード電源１２１（電源電圧Ｖａ１）からＩｅ検出用アノード電源１２２（電源電圧Ｖａ２）に切り換えられている。【００４６】図１において、補正パラメータ演算回路１１０が補正駆動データをＬＵＴ１０９に格納・更新する。このＬＵＴデータの作成指示は、パネル製造直後、または画像形成装置の電源投入・切断の直後や、画像表示パネル１０１における走査が（Ｄｘｍ，Ｄｙｎ）から再び（Ｄｘ１，Ｄｙ１）に戻るまでの期間、即ち画像信号の水平同期回帰期間（以下、ブランキング期間）中に不図示の制御回路により行われる。この時Ｉｅモニタ回路１１１は、各素子を独立に駆動したときの電子放出電流値Ｉｅを検出し、その電子放出電流値をＩｅデータメモリ１１２にストアする。そして各素子の電子放出電流値と設定放出電流値との差、即ち誤差（ΔＩｅ）、及び駆動電圧値ＶｆとＶｆ−Ｉｅの関係式を用いて、補正パラメータ演算回路１１０は、ΔＩｅをゼロとするΔＶｆ値を予測し、駆動電圧値Ｖｆを（Ｖｆ＋ΔＶｆ）に更新してＬＵＴ１０９に書き込む。次に、駆動電圧（Ｖｆ＋ΔＶｆ）で放出素子の駆動を行った後、改めてＩｅモニタ回路１１１により電子放出電流値Ｉｅを検出、ΔＩｅを算出し、ΔＶｆを予測し、ＬＵＴ１０９を更新する。これを繰り返すことにより、各素子の電子放出特性のばらつきをなくすような駆動電圧テーブルがＬＵＴ１０９内部にできあがるわけである。」、「【０１７０】【発明の効果】以上説明したように、本発明によれば、複数の表面伝導型放出素子から放出した電子を蛍光体に照射して画像を形成する画像形成装置において、個々の放出素子が有する電子放出特性のばらつきを補正する画像形成装置及びその電子放出特性の補正方法の提供が実現する。【０１７１】即ち、製造時、経時変化により電子放出特性のばらつきを検知した場合には、駆動条件の補正値を修正することにより、どの表面伝��型放出素子からも長期間に渡り適正な電子ビームを出力させることができた。これにより、画像形成装置の性能を長期間に渡り安定させることができた。また、、補正駆動用データの取得時に、画像表示面の蛍光体の発光を伴わないため、画像装置の電源投入や切断直後の画像信号のブランキング期間中に駆動条件の修正動作を行うことが可能となった。」等の記載がされている。
　　　（イ）特開平５−１９７２３号公報（以下「刊行物２」という。）
　刊行物２には、図面とともに、「【０００１】【産業上の利用分野】本発明は、映像信号にて液晶表示パネルを表示駆動する際に、その映像信号に液晶表示パネルの電圧−透過率特性に応じた補正、所謂γ補正を施す液晶表示装置に関するもので、特に赤色（Ｒ）、緑色（Ｇ）、青色（Ｂ）用の各液晶表示パネルに夫々Ｒ、Ｇ、Ｂ用の各原色映像信号を供給する液晶プロジェクタに用いて好適なものである。」、「【０００６】【発明が解決しようとする課題】ところが、このようなγ補正構成では補正データのバックアップ用の不揮発性メモリとして比較的容量の大きなものが必要であり、特に高画質化のための極め細かな補正や、高分解能化のため量子化ビットの増大などで大量の補正データを必要とする場合、大容量の不揮発性メモリを必要とし、コストアップになっていた。本発明は、このような点に鑑み成されたものであって、補正データのバックアップ用に必要なメモリ容量を低減することができる液晶表示装置を提供することを目的とする。」、「【０００７】【課題を解決するための手段】上記した目的を達成するため本発明では、映像信号にて液晶表示パネルを表示駆動する際に、その映像信号に液晶表示パネルの電圧−透過率特性に応じた補正を施す液晶表示装置において、その液晶表示パネルの電圧−透過率特性に応じた補正データを圧縮して記憶し、入力される映像信号に対応する値の補正データを出力する補正手段を設けたものであり、この補正手段は、液晶表示パネルの電圧−透過率特性に応じた補正データが圧縮して記憶されるバックアップ用の不揮発性メモリと、電源投入時にこの不揮発性メモリから読み出されて伸張された補正データがルックアップテーブル方式で記憶され入力される映像信号に対応する値の補正データを出力する補正用の揮発性メモリとを含んでいるものである。」、「【０００８】【作用】このような構成によると、補正データがそのデータ量を低減させることなく比較的小容量の不揮発性メモリにてバックアップされることになり、電源投入時にはその不揮発性メモリから読み出された補正データを用いてアクセススピードに優れた揮発性メモリでγ補正が施されることになる。」、「【０００９】【実施例】以下、本発明の一実施例として液晶プロジェクタについて図面と共に説明する。尚、従来と同一部分については同一符号を付すと共にその説明を省略する。本実施例では、図１に示すように補正データを圧縮処理することで前記した比較的小容量のプログラムデータのバックアップ用の不揮発性メモリ１３に記憶するようにしたものであり、システム起動時にはＭＰＵ１２によりこの不揮発性メモリ１３から読み出した圧縮データを復号装置１５にて一旦伸張した後、初期化された補正用の揮発性メモリ１０に記憶させるようにしたものである。具体的に、システム起動時には図２に示すようにＭＰＵ１２からのコントロール信号により補正用の揮発性メモリ１０が入力（書き込み）モードになっていると共にスイッチ回路１６、１７が接点ｂ−ｃ間の接続状態に切り換えられており、そのためＭＰＵ１２によって読み出された圧縮データは復号装置１５で一旦伸張された後、ＭＰＵ１２からのアドレス選択によって補正用の揮発性メモリ１０に記憶されることになる。そして、その記憶後はＭＰＵ１２からのコントロール信号により補正用の揮発性メモリ１０が出力（読み出し）モードにされると共にスイッチ回路１６、１７が接点ａ−ｃ間の接続状態に切り換えられることで、補正用の揮発性メモリ１０のアドレス側に入力される映像信号（例えば、Ｒ用の原色映像信号）に応じた補正データがそのデータ側から出力されることになる。このようにすると、圧縮処理して記憶する分補正データの記憶に必要なメモリ容量が低減されることになり、そのため例えば比較的小容量のプログラムデータのバックアップ用としての不揮発性メモリ１３に補正データも一緒に記憶できることになる。」、「【００１１】【発明の効果】上述した如く本発明に依れば、映像信号に液晶表示パネルの電圧−透過率特性に応じた補正を施すために、その補正に必要な補正データを不揮発性メモリに圧縮記憶させるようにしているので、圧縮する分だけ補正データの記憶に必要なメモリ容量が少なくてすみ、比較的容量の小さな不揮発性メモリで色再現性の良い高画質なカラー映像を得ることができ、特にＲ、Ｇ、Ｂ用の各液晶表示パネルを用いる液晶プロジェクタ等に用いて好適なものである。」等の記載がされている。
　　　イ　当審の判断
　本願補正発明と刊行物１に記載された発明とを対比すると、刊行物１に記載された表面伝導型放出素子、走査回路１０２、電圧ドライバ１０８、画像形成装置は、それぞれ本願補正発明の「電子放出素子」、「走査回路」、「駆動回路」、「電子発生装置」に相当する。
　そうすると、本願補正発明と刊行物１に記載された発明とは、次の一致点で一致し、以下の相違点で相違する。
　一致点　本願補正発明と刊行物１に記載された発明とが「複数の電子放出素子がマトリクス状に配置され、同じ行に配置された電子放出素子の一方の端子が行方向配線に接続され、且つ同じ列に配置された電子放出素子の他方の端子が列方向配線に接続されており、それら複数の電子放出素子のうち、選択した電子放出素子を駆動するための、選択すべき電子放出素子を含む行方向配線を選択する走査回路と、駆動信号に基づいて列方向配線を駆動する駆動回路とを備えた電子発生装置の駆動方法であって、前記駆動回路から前記列方向配線への出力を所定の設定値に補正するための、前記複数の電子放出素子の特性ばらつきに関する」「補正情報を取得する取得工程と、前記複数の電子放出素子の特性ばらつきに関する」「補正情報を」「メモリに予め格納する格納工程」と、前記「メモリに格納された」「補正情報に基づいて、前記駆動回路から前記列方向配線への出力を所定の設定値に補正して、前記選択した電子放出素子を駆動する駆動工程」とを有する「電子発生装置の駆動方法」である点。
　相違点　本願補正発明では「第１の」補正情報を取得して「不揮発性メモリ」に格納し、「前記電子発生装置の駆動に際して、前記不揮発性メモリに格納された前記複数の電子放出素子の特性ばらつきに関する第１の補正情報を、格納情報の読み出し速度が比較的速い揮発性メモリに第２の補正情報として展開する展開工程」を有し、「前記揮発性メモリ」に格納された「第２の」補正情報に基づいて補正をするのに対し、刊行物１にはこのような記載がされていない点。
　この相違点について検討すると、刊行物２には、不揮発性メモリ１３とアクセススピードに優れた揮発性メモリとを用い、補正データを不揮発性メモリ１３に記憶し、この不揮発性メモリ１３から読み出した圧縮データを伸張して補正用の揮発性メモリ１０に記憶させ、この補正用の揮発性メモリ１０に記憶された補正データを出力して補正をし、補正データのバックアップ用に必要なメモリ容量を低減することが示されており、刊行物１に記載された発明にこのような技術手段を適用し、上記相違点のようにすることは当業者が適宜に行い得ることである。
　本願補正発明の効果についてみても、刊行物１及び２に記載された発明から予測し得るものであって格別のものではない。
　したがって、本願補正発明は、当業者が刊行物１及び２に記載された発明に基いて容易に発明をすることができたものであるから、特許法２９条２項の規定により特許出願の際独立して特許を受けることができないものである。
　以上のとおりであるから、上記補正は、平成１５年法律第１０８号による改正前の特許法１７条の２第５項において準用する同法１２６条４項の規定に違反するものであり、同法１５９条１項において準用する同法５３条の規定により却下しなければならないものである。
　
第３　本件出願に係る発明
　平成１５年５月２日付け補正は上記のとおり却下したので、本件出願の請求項２に係る発明（以下「本願発明」という。）は、上記補正前の、平成１５年２月４日付け手続補正書により補正された明細書及び図面の記載からみて、その特許請求の範囲の請求項２に記載された上記のとおりのものであり、以下に再掲する。
　「【請求項２】
　複数の電子放出素子がマトリクス状に配置され、同じ行に配置された電子放出素子の一方の端子が行方向配線に接続され、且つ同じ列に配置された電子放出素子の他方の端子が列方向配線に接続されており、それら複数の電子放出素子のうち、選択した電子放出素子を駆動するための、選択すべき電子放出素子を含む行方向配線を選択する走査回路と、駆動信号に基づいて列方向配線を駆動する駆動回路とを備えた電子発生装置の駆動方法であって、
　前記駆動回路から前記列方向配線への出力を所定の設定値に補正するための、前記複数の電子放出素子の特性ばらつきに関する第１の補正情報を取得する取得工程と、
　前記複数の電子放出素子の特性ばらつきに関する第１の補正情報を、不揮発性メモリに予め格納する格納工程と、
　前記電子発生装置の駆動に際して、前記不揮発性メモリに格納された前記複数の電子放出素子の特性ばらつきに関する第１の補正情報を、格納情報の読み出し速度が比較的速い揮発性メモリに第２の補正情報として展開する展開工程と、
　前記揮発性メモリに格納された第２の補正情報に基づいて、前記選択した電子放出素子を駆動する駆動工程とを有する
ことを特徴とする電子発生装置の駆動方法。」
　
第４　引用刊行物に記載された発明
　原査定の拒絶の理由に引用された刊行物の一部及びその記載事項は、上記のとおりである。
　
第５　当審の判断
　本願発明を限定したものである本願補正発明が、前示のとおり、当業者が刊行物１及び２に記載された発明に基いて容易に発明をすることができたものであるから、本願発明も同様の理由により当業者が刊行物１及び２に記載された発明に基いて容易に発明をすることができたものである。
　
第６　まとめ
　以上のとおりであるから、本件出願の請求項２に係る発明である本願発明は特許法２９条２項の規定により特許を受けることができないものであり、その余の請求項に係る発明についての判断を示すまでもなく、本件出願は、拒絶をすべきものである。
　よって、結論のとおり審決する。